【手続補正書】
【提出日】平成17年9月21日(2005.9.21)
【手続補正１】
【補正対象書類名】明細書
【補正対象項目名】発明の名称
【補正方法】変更
【補正の内容】
【発明の名称】ゲーム装置
【手続補正２】
【補正対象書類名】明細書
【補正対象項目名】特許請求の範囲
【補正方法】変更
【補正の内容】
【特許請求の範囲】
【請求項１】
ゲーム筐体に設けられたドアの開閉を検知する開閉スイッチと、
前記ドアの開閉情報を表示する表示手段と、
主電源との通電時に前記開閉スイッチの状態を監視する通電時監視手段と、
主電源との電断時に前記開閉スイッチの状態を監視する電断時監視手段と、
前記電断時監視手段が前記開閉スイッチの開状態を検知したとき該検知信号を保持する信号保持手段と、
前記電断時監視手段と前記信号保持手段とに電力を供給するバッテリと、
主電源に通電したときに、前記信号保持手段が検知信号を保持している場合に前記表示手段を特別表示させる表示制御手段と、
を備えたことを特徴とするゲーム装置。
【請求項２】
ゲーム筐体に設けられたドアの開閉を検知する開閉スイッチと、
前記ドアの開閉情報を表示手段に表示する表示制御手段と、
主電源との通電時に前記開閉スイッチの状態を監視する通電時監視手段と、
主電源との電断時に前記開閉スイッチの状態を監視する電断時監視手段と、
前記開閉スイッチの開状態を示す検知信号を保持する信号保持手段と、
前記電断時監視手段と前記信号保持手段とに電力を供給するバッテリとを備え、
前記電断時監視手段は、
前記主電源との通電が切られたときに、前記バッテリの電力により、前記開閉スイッチの状態を検知し、電断時にドアが開いたならば開状態を示す検知信号を前記信号保持手段に出力し、
前記表示制御手段は、
前記通電時監視手段が出力した、主電源との通電時にドアが開いたことを示す検知信号を受け取ると、前記表示手段にドアが開いたことを示す第一の開情報を表示させ、
電断後において前記主電源に通電したときに、前記信号保持手段が検出信号を保持している旨を示す出力信号を受け取ると、前記表示手段に前記第一の開情報とは異なる特別な第二の開情報を表示させる制御を行うことを特徴とするゲーム装置。
【請求項３】
前記ゲーム筐体には複数のドアが設けられ、
各ドアに前記開閉スイッチがそれぞれ配設され、
前記通電時監視手段と前記電断時監視手段は各開閉スイッチの状態を監視することを特徴とする請求項１または請求項２記載のゲーム装置。
【手続補正３】
【補正対象書類名】明細書
【補正対象項目名】００１１
【補正方法】変更
【補正の内容】
【００１１】
本出願発明は、ゲーム筐体に設けられたドアの開閉を検知する開閉スイッチと、前記ドアの開閉情報を表示する表示手段と、主電源との通電時に前記開閉スイッチの状態を監視する通電時監視手段と、主電源との電断時に前記開閉スイッチの状態を監視する電断時監視手段と、前記電断時監視手段が前記開閉スイッチの開状態を検知したとき該検知信号を保持する信号保持手段と、前記電断時監視手段と前記信号保持手段とに電力を供給するバッテリと、主電源に通電したときに、前記信号保持手段が検知信号を保持している場合に前記表示手段を特別表示させる表示制御手段とを備えたことを特徴とするゲーム装置である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】変更
【補正の内容】
【００３５】
請求項１記載のように発明を構成することにより、主電源との通電時にドアが開らくと、通電時監視手段が開閉スイッチの開状態を検知して表示手段にドアが開いていることを表示することができる。
そして主電源との通電を切ったときや停電などの電断時にはバッテリで電断時監視手段と信号保持手段が動作し、電断時にドアが開らくと電断時監視手段が開閉スイッチの開状態を検知し、信号保持手段が該検知信号を保持するので、表示制御手段が表示手段を特別表示し、電断時にドアが開らかれたことを警告することができる。
したがってゲーム筐体のドアの開閉を２４時間監視して警告を行うことができる。
【手続補正２８】
【補正対象書類名】明細書
【補正対象項目名】００３６
【補正方法】変更
【補正の内容】
【００３６】
請求項３記載のように発明を構成することにより、複数のドアの開閉スイッチの状態を通電時には通電時監視手段が監視し、電断時には電断時監視手段が監視するので、通電時に少なくとも１つのドアが開いた場合は、表示手段がドアが開いていることを表示し、電断時に少なくとも１つのドアが開いた場合は通電時に表示手段が特別表示して電断時にドアが開らかれたことを警告することができる。
【手続補正２９】
【補正対象書類名】明細書
【補正対象項目名】００３７
【補正方法】削除
【補正の内容】
【手続補正３０】
【補正対象書類名】明細書
【補正対象項目名】００３９
【補正方法】変更
【補正の内容】
【００３９】
本出願発明が適用されるカジノゲーム機０は、カジノゲーム機本体１と、カジノゲーム機本体１の左右両側に４個ずつ計８個配設されるサテライトと称せられる箱状ゲームユニット２と、カジノゲーム機０および箱状ゲームユニット２の手前側に配設されてサイコロ３を投出するサイコロ振出し装置４と、カジノゲーム機０および箱状ゲームユニット２の奥側に配設されて、カジノゲーム機０全体の制御を行なうゲーム制御装置５と、該ゲーム制御装置５上に立設された表示装置６と、該表示装置６の両側の支持部７の頂端から手前側に張出された照明装置８とよりなり、前記サイコロ３は、稜角と頂角とが丸く形成された立方体状中空軟質プラスチック製であり、サイコロ振出し装置４によりカジノゲーム機０の上面上に３個のサイコロ３が振出されるようになっている。
【手続補正３１】
【補正対象書類名】図面
【補正対象項目名】図４６
【補正方法】変更
【補正の内容】
【図４６】
2000093645.tif 000001